(57)【特許請求の範囲】
【請求項１】
走査信号を供給される複数のゲート線に画像信号を供給される複数のデータ線を交差させてマトリクス状に形成され、電気光学素子と薄膜トランジスタを含む画素を備えた画像表示装置であって、前記画素は，前記ゲート線を介して走査信号が供給される第１の薄膜トランジスタと，前記第１の薄膜トランジスタを介して前記データ線から供給される画像信号を保持する蓄積容量と，前記蓄積容量によって保持された前記画像信号が供給されるＮチャネル型の第２の薄膜トランジスタと，画素電極が前記第２の薄膜トランジスタを介して共通電位線と電気的に接続されたときに前記画素電極と対向電極との間に流れる駆動電流によって発光する電気光学素子とを具備し、
１画像を表示するために前記複数のゲート線に前記走査信号を供給した後に、前記複数のゲート線に前記走査信号を供給すると共に前記複数のデータ線に負電圧の前記画像信号を供給して前記電気光学素子を消光させる消光期間を形成して前記画素が駆動され、前記消光期間は前記第２の薄膜トランジスタのゲートに負電圧が印加されることを特徴とする画像表示装置。
【請求項２】
走査信号を供給される複数のゲート線に画像信号を供給される複数のデータ線を交差させてマトリクス状に形成され、電気光学素子と薄膜トランジスタを含む画素を備えた動画像を表示する画像表示装置であって、前記画素は，前記ゲート線を介して走査信号が供給される第１の薄膜トランジスタと，前記第１の薄膜トランジスタを介して前記データ線から供給される画像信号を保持する蓄積容量と，前記蓄積容量によって保持された前記画像信号が供給されるＮチャネル型の第２の薄膜トランジスタと，画素電極が前記第２の薄膜トランジスタを介して共通電位線と電気的に接続されたときに前記画素電極と対向電極との間に流れる駆動電流によって発光する電気光学素子とを具備し、
１画像を表示する１フレーム期間と次の１画像を表示する１フレーム期間の間に前記電気光学素子を消光させる消光期間を形成し、前記消光期間には、前記複数のゲート線に前記走査信号を供給されると共に前記複数のデータ線に前記走査信号に同期させて前記複数のデータ線に前記電気光学素子の負電圧の消光用画像信号を供給されるように前記画素が駆動され、前記消光期間は前記第２の薄膜トランジスタのゲートに負電圧が印加されることを特徴とする画像表示装置。
【請求項３】
請求項１，２のいずれか１項において、前記ゲート線、前記データ線、前記第1と第２の薄膜トランジスタ、蓄積容量及び前記電気光学素子は同一の基板に搭載されていることを特徴とする画像表示装置。
【請求項４】
走査信号を供給される複数のゲート線に画像信号を供給される複数のデータ線を交差させてマトリクス状に形成され、電気光学素子と薄膜トランジスタを含む画素を備え、前記画素は，前記ゲート線を介して走査信号が供給される第1の薄膜トランジスタと，前記第1の薄膜トランジスタを介して前記データ線から供給される画像信号を保持する蓄積容量と、前記蓄積容量によって保持された前記画像信号が供給されるＮチャネル型の第２の薄膜トランジスタと、画素電極が前記第２の薄膜トランジスタを介して共通電位線と電気的に接続されたときに前記画素電極と対向電極との間に流れる駆動電流によって発光する電気光学素子とを具備した画像表示装置の駆動方法において、
１画像を表示するために前記複数のゲート線に前記走査信号を供給した後に、前記複数のゲート線に前記走査信号を供給すると共に前記複数のデータ線に負電圧の前記画像信号を供給して前記電気光学素子を消光させる消光期間を形成して前記画素を駆動し、前記消光期間は前記第２の薄膜トランジスタのゲートに負電圧を印加するようにしたことを特徴とする画像表示装置の駆動方法。
【請求項５】
走査信号を供給される複数のゲート線に画像信号を供給される複数のデータ線を交差させてマトリクス状に形成され、電気光学素子と薄膜トランジスタを含む画素を備え、前記画素は，前記ゲート線を介して走査信号が供給される第1の薄膜トランジスタと，前記第1の薄膜トランジスタを介して前記データ線から供給される画像信号を保持する蓄積容量と、前記蓄積容量によって保持された前記画像信号が供給されるＮチャネル型の第２の薄膜トランジスタと、画素電極が前記第２の薄膜トランジスタを介して共通電位線と電気的に接続されたときに前記画素電極と対向電極との間に流れる駆動電流によって発光する電気光学素子とを具備した画像表示装置の駆動方法において、
１画像を表示する１フレーム期間内に前記電気光学素子を消光させる消光期間を形成し、前記消光期間には前記複数のゲート線に前記走査信号を供給すると共に前記走査信号に同期させて前記複数のデータ線に前記電気光学素子の負電圧の消光用画像信号を供給して前記画素を駆動し、前記消光期間は前記第２の薄膜トランジスタのゲートに負電圧を印加するようにしたことを特徴とする画像表示装置の駆動方法。
【請求項６】
請求項４，５のいずれか１項において、消光した前記電気光学素子に逆バイアス電圧を印加することを特徴とする画像表示装置の駆動方法。
【発明の詳細な説明】
【０００１】
【発明の属する技術分野】
本発明は，有機半導体膜などの発光薄膜に駆動電流を流すことによって発光させる電気光学素子の発光動作を制御する薄膜トランジスタなどのスイッチング素子で制御するアクティブマトリクス型の画像表示装置及びその駆動方法に関する。
【０００２】
【従来の技術】
近年，高度情報化社会の到来に伴い，パーソナルコンピュータ，カーナビ、携帯情報端末，情報通信機器あるいはこれらの複合製品の需要が増大している。これらの製品には，薄型，軽量，低消費電力のディスプレイが好適であり，液晶表示装置あるいは自発光型のＥＬ（エレクトロルミネッセンス）素子またはＬＥＤ（発光ダイオード）素子などの電気光学素子による表示装置が用いられている。
【０００３】
後者の自発光型の電気光学素子による表示装置には，視認性がよいこと，視角特性が広いこと，高速応答で動画表示に適することなどの特長があるので，映像表示が主要になってくる今後，特に好適と考えられている。特に，近年の有機物を発光層とする有機ＥＬ素子または有機ＬＥＤ素子（以下、これらを総称してＯＬＥＤと称する）の発光効率の急速な向上と，映像通信を可能にするネットワーク技術の進展との２つがあいまって，ＯＬＥＤディスプレイへの期待は，高まるばかりである。
【０００４】
ＯＬＥＤディスプレイにおける電力効率を高めるためには，後述のように薄膜トランジスタ（以下、ＴＦＴと称する）によるアクティブマトリクス駆動が有効である。ＯＬＥＤディスプレイをアクティブマトリクス構造として作製し駆動する技術は，例えば、特開平４−３２８７９１号公報、特開平８−２４１０４８号公報および米国特許ＵＳＰ５５５００６６号に記載されており，また、駆動電圧関係については国際特許公報ＷＯ９８／３６４０７号などに開示されている。
【０００５】
ＯＬＥＤディスプレイの典型的な画素は，２つのＴＦＴ（スイッチトランジスタとドライバトランジスタ）と１つの蓄積容量で構成されるアクティブ素子駆動回路によりＯＬＥＤの発光輝度を制御するものである。画素は，画像信号を供給されるｎ本のデータ線と走査信号を供給されるｍ本の走査線（ゲート線）をｍ行ｎ列のマトリクスを形成しその各交点近傍に画素を配置する。
【０００６】
画素を駆動するには，ｍ行のゲート線に順次走査信号（ゲート電圧）を印加しスイッチングトランジスタをターンオンさせ、１フレーム期間Ｔｆ内に垂直方向の走査を１回終えて，再び１行目のゲート線にターンオン電圧が印加される。
【０００７】
この駆動スキームでは，１本のゲート線にターンオン電圧が印加される時間は，Ｔｆ／ｍ以下となる。一般的には，１フレーム期間Ｔｆの値としては，１／６０秒程度が用いられる。あるゲート線にターンオン電圧が印加されているときは，そのゲート線に接続されたスイッチングトランジスタは全てオン状態となり，それに同期してｎ列のデータ線には同時に画像信号（データ電圧）が印加される。これはいわゆる線順次走査方式と呼ばれ，アクティブマトリクス液晶では一般的に用いられているものである。
【０００８】
データ電圧はゲート線にターンオン電圧が印加されている間に蓄積容量（コンデンサ）に蓄えられ，１フレーム期間はほぼそれらの値に保たれる。蓄積容量の電圧値は，ドライバトランジスタのゲート電圧を規定し，したがって，ドライバトランジスタを流れる電流値が制御され一定の電流がＯＬＥＤを流れ発光が生じる。ＯＬＥＤは電圧を印加されると，発光が始まるまでの応答時間は１μｓ以下であることが通常であり，動きの速い画像（動画像）にも追随できる。
【０００９】
さて，アクティブマトリクス駆動では，１フレーム期間に亘って発光が行われることで高効率を実現している。これと，ＴＦＴを設けずにＯＬＥＤのダイオード電極をそれぞれ垂直走査線，水平走査線に直結して駆動する単純マトリクス駆動による効率とを比較すると差異は明確である。
【００１０】
単純マトリクス駆動では垂直走査線が選択されている期間にのみＯＬＥＤに電流が流れるので，その短い期間の発光のみで１フレーム期間の発光と同等の輝度を得るためには，アクティブマトリクス駆動に比べて略垂直走査線数倍の発光輝度が必要となる。それには，必然的に駆動電圧，駆動電流を大きくせねばならず，発熱など消費電力ロスが大きくなって電力効率が低下するのを免れない。
【００１１】
このように，アクティブマトリクス駆動は，単純マトリクス駆動に比べ低消費電力化の観点から優位であると考えられている。
【００１２】
【発明が解決しようとする課題】
従来技術は、ＯＬＥＤが高速応答がゆえに動画に適すると考えられてきている。しかしながら，従来技術によるＯＬＥＤのアクティブマトリクス駆動は液晶ディスプレイ（ＬＣＤ）の駆動方法と同じであり，画素は１フレーム期間に亘って表示をする、つまりＯＬＥＤを発光させるホールド型の表示方式である。
【００１３】
ＬＣＤについては，「電子情報通信学会技術研究報告」ＥＩＤ９６―３４，１９頁から２６頁（１９９６年，６月）に記載されているように，ホールド型の表示方式に起因して，動画表示時に動物体のエッジがぼける現象が避けられない。
【００１４】
動画像のエッジぼけの課題は，ＬＣＤについて指摘されたものであるが，その発生原因はホールド表示のためである。したがって、ＯＬＥＤをアクティブマトリクス駆動でホールド表示すると動画像のエッジぼけが同様に問題になる。
【００１５】
このように，従来技術はＯＬＥＤのように電気光学素子をアクティブマトリクス駆動する際に動画表示時のエッジぼけに配慮がなされておらず，画質が劣化するという問題点を有する。
【００１６】
本発明の目的は，電気光学素子をアクティブマトリクス駆動する際に動画表示時のエッジぼけを抑制し画質を向上させることのできる画像表示装置及びその駆動方法を提供することにある。
【００１７】
【課題を解決するための手段】
本発明の特徴とするところは、１画像を表示するために複数のゲート線の走査後に電気光学素子を消光させる消光期間を形成して画素を駆動するようにしたことにある。換言すると、本発明は１フレームと次の１フレームの間に電気光学素子を消光させる消光期間を形成して画素を駆動するようにしたことにある。
【００１８】
本発明の望ましい実施形態は、１画像を表示する１フレーム期間内に電気光学素子を消光させる消光期間を形成して画素を駆動するようにする。
【００１９】
本発明は１画像を表示するために複数のゲート線の走査後に電気光学素子を消光させる消光期間を形成して画素を駆動するようにしているので、この消光期間中の視線移動時には白背景の積分がなくなりエッジのぼけ，すなわち，動画の表示特性が大幅に改善される。
【００２０】
【発明の実施の形態】
本発明の実施の形態を図面を参照して説明する。まず、画像表示装置の構成を説明し，次に駆動方法について述べる。
【００２１】
図１は画像表示装置１の全体のレイアウトを模式的に示すブロック図で，図２は図１の表示部に構成されたアクティブマトリクスの等価回路図である。
【００２２】
図１において、画像表示装置１は基板６のほぼ中央部に表示部２が構成されている。表示部２の上側にはデータ線７に対して画像信号を供給するデータ駆動回路３が設けられ、左側にゲート線８に対して走査信号（ゲート電圧）を供給する走査駆動回路４が設けられている。また、右側には電流供給駆動回路５が設けられている。これらの駆動回路３、４、５は、Ｎチャネル型とＰチャネル型のＴＦＴによる相補型回路から構成されるシフトレジスタ回路、レベルシフタ回路、アナログスイッチ回路などからなる。
【００２３】
画像表示装置１は、液晶表示装置のアクティブマトリクスと同様に基板６の上に複数のゲート線８と、ゲート線８の延在方向に対して交差する方向に延在させた複数のデータ線７が設けられている。図２に示す如くゲート線８（Ｇ１，Ｇ２，…，Ｇｍ）とデータ線７（Ｄ１，Ｄ２，…，Ｄｎ）との交差するところにマトリクス状に画素２０が配置されている。
【００２４】
画素２０は図３に拡大して示すように、Ｎチャネル型のＴＦＴからなるスイッチトランジスタ２１のゲート電極がゲート線８に接続され、スイッチトランジスタ２１のソース電極、ドレイン電極の一方がデータ線７に接続され，他方が蓄積容量２３の一端に接続されている。蓄積容量２３の一端はＮチャネル型のＴＦＴからなるドライバトランジスタ２２のゲート電極にも接続されている。
【００２５】
ドライバトランジスタ２２のソース電極はデータ線７と同じ方向に延在する共通電位線９に接続され、ドレイン電極はＯＬＥＤ２４の一方の電極に接続されている。ＯＬＥＤ２４の他方の電極は全画素２０に共通の電流供給線１０に接続され電位Ｖａに保たれている。ＯＬＥＤ２４は、陽極が通常透明電極で形成され、ＯＬＥＤ層での発光はＴＦＴが形成されたガラス基板を通して外に取り出される構造となる。
【００２６】
この構成において、ゲート線８（Ｇ１，Ｇ２，…，Ｇｍ）に加えられる走査信号によってスイッチトランジスタ２１がオン状態になると，データ線７から画像信号がスイッチトランジスタ２１を介して蓄積容量２３に書き込まれる。したがって、ドライバトランジスタ２２のゲート電極は、スイッチトランジスタ２１がオフ状態になっても蓄積容量２３により画像信号に相当する電位に保持される。
【００２７】
ドライバトランジスタ２２は、定電流性に優れるソース接地モードでの駆動状態に保たれ続けて、電流供給線１０からの電流がＯＬＥＤ２４に流れる。ＯＬＥＤ２４は発光状態に維持される。このときの発光輝度は、蓄積容量２３に書き込まれる画像データに依存する。ＯＬＥＤ２４の発光停止は、ドライバトランジスタ２２をオフ状態にすることによってなされる。
【００２８】
次に、画像表示装置の駆動方法について図４および図５を用いて説明する。
【００２９】
図４に本発明による画像表示装置を駆動する駆動装置の構成を示す。
【００３０】
図４において、図１と同一符号のものは相当物を示し、走査駆動回路４とデータ駆動回路３には表示制御コントローラ１１からタイミング制御信号（クロック信号）が与えられる。データ駆動回路３は表示制御コントローラ１１から画像信号も与えられる。
【００３１】
表示制御コントローラ１１のタイミング（クロック周波数）はタイミング調整回路１２によって調整される。タイミング調整回路１２は１フレームの基本周波数を４倍化したクロック周波数に設定する。これにより，表示制御コントローラ１１は画像メモリ１３からのデータ読み出しを４倍化し，両駆動回路３、４におけるシフトレジスタのフレームスタート制御信号のタイミングをｔ＝０、Ｔｆ／４、Ｔｆ、５Ｔｆ／４…にする。
【００３２】
この構成において、ゲート線Ｇ１、Ｇ２、…Ｇｍには走査駆動回路４から図５に示したようにスイッチトランジスタ２１を順次ターンオンするゲート電圧ＶＧ１，ＶＧ２，…，ＶＧｍが加えられる。ゲート電圧ＶＧ１，ＶＧ２，…，ＶＧｍは電圧値（低電圧レベル）ＶＧＬから電圧値（高電圧レベル）ＶＧＨに変化する。
【００３３】
一方、データ線Ｄ１，Ｄ２，…，Ｄｎにはデータ駆動回路３からゲート電圧ＶＧ１，ＶＧ２，…，ＶＧｍに同期して画像信号のデータ電圧ＶＤ１、ＶＤ２、…、ＶＤｎが加えられる。画像信号電圧ＶＤ１、ＶＤ２、…、ＶＤｎは電圧値（高電圧レベル）ＶＤＨから電圧値（低電圧レベル）ＶＤＬの間の値が設定される。電圧値ＶＤＬは通常共通電位線９の電圧以下である。電流供給線１０の電圧Ｖａと共通電位線９の電圧は一定に保たれている。
【００３４】
このようにして駆動するのであるが、この駆動方法は従来技術と同様の線順次走査である。
【００３５】
さて、本発明では１画面（１画像）の走査に要する期間が１フレーム期間Ｔｆの１／４と短縮されている。したがって、ゲート線８の１本あたりの選択時間は、Ｔｆ／４ｍと短くなる。１画面の走査が終わって次にゲート線Ｇ１が選択されると，今度はドライバトランジスタ２２をオフ状態にする電圧値ＶＤＬのデータ電圧ＶＤ１、ＶＤ２、…、ＶＤｎがすべてのデータ線Ｄ１，Ｄ２，…，Ｄｎに印加される。
【００３６】
このような電圧スキームにすると、１フレーム期間の約１／４は発光期間となり、残りの３／４は消光期間（非発光期間）となる。ＯＬＥＤ２４の実効的な発光時間が短くなり表示画像が暗くなるのを防止するために、データ電圧の波高値は４倍の電流となるようにする。１フレーム期間Ｔｆの値は１６ｍｓ程度なので、発光にあてられる期間は４ｍｓ程度になるが，ＯＬＥＤ２４のもつ高速応答のゆえにこの期間ほぼすべてに亘って発光が可能である。
【００３７】
このようにして画像表示装置を駆動するのであるが、動画像のエッジぼけを抑制できることについて説明する。
【００３８】
まず、理解を容易にするために動画のエッジぼけが発生することについて図６を用いて説明する。
【００３９】
図６（ａ）に示すように、動画像として白背景の中で黒の長方形が図示左から右の矢印方向に一定速度で移動する映像について考える。この動画像をホールド型の表示をした場合、１フレーム間隔毎に表示内容が書き換えられ、その表示内容が１フレーム期間保持されるという点に留意して動画像のエッジを含む部分の一水平ラインについて拡大して着目する。
【００４０】
図６（ｂ）はこの拡大部分の時間変化をＴｆ毎に模式的に示したものである。図６（ｂ）に示すように、長方形のエッジ部は時間経過に対して階段状に移動しながら表示される。図６（ｂ）はエッジが１フレームあたりに４画素移動する例を示している。
【００４１】
この表示画面を見るユーザの目は、図６（ｂ）の矢印Ａに示すように動画像に追従して連続的に視線移動する。この視線移動の途中には，白背景も認識されてしまうので，ユーザが知覚する動画像の輝度信号は、これら白信号と黒信号の積分値となる。すなわち黒い長方形のエッジ部がぼやけてしまうことになる。
【００４２】
一方、本発明の駆動による画像の見え方を図６（ｂ）の１行の画素について示したのが図７である。
【００４３】
図７において、例えば、時刻ｔ＝ｔ０＋Ｔｆ／４からｔ＝ｔ０＋Ｔｆの間は消光されるが、この消光期間中の視線移動時には白背景の積分がなくなるのでエッジのぼけ，すなわち，動画の表示特性が大幅に改善されることになる。
【００４４】
なお、上述の実施の形態では，発光期間と消光期間の比を１：３としたが，蛍光体の残光（＜〜３ｍｓ）を見るＣＲＴの表示特性に画質劣化がないことから，タイミング調整回路１２により，さらに発光期間を短くすることにより本発明の効果をより大きくすることができる。
【００４５】
図８に本発明の他の実施の形態を示す。
【００４６】
図８において、図４の実施の形態と異なる点は，電流供給線駆動回路１５を設け表示制御コントローラ１１の制御下におくようにしたことである。各電流供給線１０においては，図９に示すように消光のためのゲート電圧に連動して電流供給線１０の供給電圧を切替えるスイッチ１６が設けられている。
【００４７】
図１０に表示部２の画素マトリクス図を示す。図１０において図２と異なるところはＯＬＥＤ２４のアノード電極を行毎に束ねた電流供給線Ａ１，Ａ２，…Ａｍを設け，それぞれの電流供給線Ａ１，Ａ２，…Ａｍに与える電圧ＶＡ１，ＶＡ２，…ＶＡｍを一定ではなく複数の値としたことである。
【００４８】
この構成の動作を図１１に示すタイムチャートを参照して説明する。この実施形態においても発光期間と消光期間を設けることは図４に示す実施の形態と同じであるので説明を省略する。
【００４９】
１フレームの発光期間を終了した後，ゲート線８を再選択のタイミングで一旦ドライバトランジスタ２２を非飽和領域でオンさせる電圧を加え，同時に電流供給線駆動回路１５によって電流供給線Ａ１，Ａ２，…Ａｍに与える電圧ＶＡ１，ＶＡ２，…ＶＡｍを低電圧レベルＶＡＬに引き下げる。低電圧レベルＶＡＬの値は共通電位線９の電圧レベルより低く設定する。
【００５０】
電流供給線Ａ１，Ａ２，…Ａｍの電圧ＶＡ１，ＶＡ２，…ＶＡｍを低電圧レベルＶＡＬにするとＯＬＥＤ２４の画素電極の電位は略共通電位線９の電圧レベルになるので，ＯＬＥＤ２４の両端の電圧は，発光時のバイアスの向きと逆になる。この時点で，ドライバトランジスタ２２をターンオフすれば，この逆バイアス印加状態が消光期間にわたり保たれることになる。このような電圧印加は，電流供給線１０がストライプ状にゲート線８と平行に結ばれていることにより実現できる。
【００５１】
ＯＬＥＤ２４は，順バイアスの直流を印加し続けると徐々に空間電荷などが生成されて輝度が低下するが、本実施の形態のように逆バイアス印加すれば空間電荷生成を妨げることができるので長寿命にできる。
【００５２】
図８、図１０に示す実施の形態におけるストライプ状電流供給線１０の形成について図１２および図１３を用いて説明する。画像表示装置１の画素部の平面構造を図１２に，図１２のＡ−Ａ’に沿った断面構造を図１３に示す。
【００５３】
ガラス基板６には，スイッチトランジスタ２１とドライバトランジスタ２２を形成するための島状のシリコン膜が形成され，その表面にはゲート絶縁膜が形成されている。ゲート絶縁膜上には，ゲート電極，ゲート線８，蓄積容量２３用電極が形成され，その後ゲート電極に自己整合的にソース・ドレイン領域が形成される。しかる後に第１の層間絶縁膜３０が設けられ，コンタクトホールを介してデータ線７，共通電位線９，蓄積容量２３用電極が形成されている。
【００５４】
さらに、第２の層間絶縁膜３１のコンタクトホールを介して画素電極であるＯＬＥＤ２４の陰極２４Ｋ、有機層２４Ｏを設けた後，対向電極である透明な陽極２４Ａとこれを結ぶ（接続された、カバーされた）電流供給線１０が設けられている。この電流供給線１０は，行方向すなわちゲート線８の延在する方向に延在させてある。
【００５５】
ＯＬＥＤ発光素子２４は，ドライバトランジスタ２２のドレインに接続された金属層の上に接続されたリチウム含有アルミニウムあるいはカルシウムなどの金属膜からなる陰極２４Ｋ，有機半導体層２４Ｏ，インジウム含有酸化膜による透明陽極２４Ａを積層した構造にしている。
【００５６】
図１４に図８に示す実施の形態で駆動する他の例を示す。図１４は図１１と比較すると明らかなように、駆動電圧波形は、発光期間と消光期間が１：３で設けられていること、および電流供給線１０の電圧ＶＡ１，ＶＡ２，…ＶＡｍが消光期間中に低電圧レベルＶＡＬとなっていることは同じである。
【００５７】
図１４の形態によるデータ駆動電圧では，ゲート再選択パルスに同期させたドライバトランジスタ２２のターンオン電圧の印加からそのドライバトランジスタ２２をターンオフするときの電圧レベルをＶＤＬよりもさらに低くし，特に共通電位線９や画素電極の電位よりも低くすることに特徴がある。
【００５８】
この状態でゲート線８の電圧を非選択状態にすると，ドライバトランジスタ２２のゲート電圧は，ソース・ドレインの電圧よりも低く保たれることになる。すなわち，発光時は正のゲート電圧で駆動されていたドライバトランジスタ２２は、消光時は負のゲート電圧が印加されることになり，トランジスタのゲート絶縁膜への電荷注入による特性シフトおよびそれに伴う表示画質劣化を防止することができる。
【００５９】
以上のように，本発明の画像表示装置は１画像を表示するために複数のゲート線の走査後に電気光学素子を消光させる消光期間を形成して画素を駆動するようにしているので、この消光期間中の視線移動時には白背景の積分がなくなるのでエッジのぼけ，すなわち，動画の表示特性が大幅に改善される。
【００６０】
また、上述の実施の形態では、発光走査終了後に消光走査しているのでアクティブマトリクス駆動に一般的に用いられる画素の構成を変更することなく動画の表示特性を向上させることができる。
【００６１】
さらに、ＯＬＥＤ２４に逆バイアス印加するようにしているので空間電荷生成を妨げることができるので長寿命にでき、表示輝度劣化の小さい画像表示装置を得ることができる。
【００６２】
なお、本発明は上述の実施の形態に限定されるものでなく、例えば，図１５に示すようにドライバトランジスタ２２をＰチャネル型とし，基板６側から光を取り出す構造でも本発明を適用できることは勿論のことである。
【００６３】
また、上述の実施の形態は１画像を表示する１フレーム期間内に電気光学素子を消光させる消光期間を形成しているが、要するに、１画像を表示するために複数のゲート線の走査後に電気光学素子を消光させる消光期間を形成すればよいことは明らかなことである。
【００６４】
【発明の効果】
以上述べてきたように，本発明は１画像を表示するために複数のゲート線の走査後に電気光学素子を消光させる消光期間を形成して画素を駆動するようにしているので、この消光期間中の視線移動時には白背景の積分がなくなるのでエッジのぼけ，すなわち，動画の表示特性を大幅に向上させることができる。
【図面の簡単な説明】
【図１】  本発明の画像表示装置の一例を示すブロック図である。
【図２】  アクティブマトリクスの等価回路図である。
【図３】  アクティブマトリクス駆動の画素の一例図である。
【図４】  本発明の一実施例を示す構成図である。
【図５】  本発明の駆動動作を説明するためのタイムチャートである。
【図６】  従来駆動における動画のエッジぼけを説明する図である。
【図７】  本発明による動画のエッジぼけを解消を説明する図である。
【図８】  本発明の他の一実施例を示す構成図である。
【図９】  図８の構成を説明するための図である。
【図１０】  本発明の他の実施例におけるアクティブマトリクスの等価回路図である。
【図１１】  本発明の他の実施例の駆動動作を説明するためのタイムチャートである。
【図１２】  本発明による画像表示装置の画素部の平面構造を説明する図である。
【図１３】  本発明による画像表示装置の画素部の断面構造を説明するための図である。
【図１４】  本発明の他の実施例における他の駆動動作を説明するためのタイムチャートである。
【図１５】  本発明を適用する画像表示装置の画素部の他の断面構造例を説明する図である。
【符号の説明】
１…画像表示装置、２…表示部、３…データ駆動回路、４…走査駆動回路、５…電流供給駆動回路、６…基板、７…データ線、８…ゲート線、９…共通電位線、１０…電流供給線、２０…画素、２１…スイッチトランジスタ、２２…ドライバトランジスタ、２３…蓄積容量、２４…ＯＬＥＤ発光素子。
【図１】
0003877049.tif 000002
【図２】
0003877049.tif 000003
【図３】
0003877049.tif 000004
【図４】
0003877049.tif 000005
【図５】
0003877049.tif 000006
【図６】
0003877049.tif 000007
【図７】
0003877049.tif 000008
【図８】
0003877049.tif 000009
【図９】
0003877049.tif 000010
【図１０】
0003877049.tif 000011
【図１１】
0003877049.tif 000012
【図１２】
0003877049.tif 000013
【図１３】
0003877049.tif 000014
【図１４】
0003877049.tif 000015
【図１５】
0003877049.tif 000016